(57)【特許請求の範囲】
【請求項１】
引戸（９）の縦框（１１）が対向して当接する縦枠（１３）に取り付けられる引戸用ストライク板（１）であって、
前記縦枠（１３）に凹設される箱状の凹部（１９）を有したトロヨケ（３）と、
該トロヨケ（３）の前記凹部（１９）に一対の脚部（２７）が収容されて固定され、該一対の脚部（２７）における前記引戸（９）の縦框（１１）に対向する部分に略Ｕ字状に屈曲して架橋された掛合部（２９）が前記凹部（１９）から突出されるカマ係合金具（５）と、
挿通された一対の化粧板固定部材（３９）を前記トロヨケ（３）及び前記縦枠（１３）に挿着させることで前記縦枠（１３）に略面一に固定されて前記カマ係合金具（５）の前記凹部（１９）からの脱落を阻止するとともに、前記カマ係合金具（５）の掛合部（２９）を貫通させかつ前記引戸（９）の縦框（１１）から突出されるカマ錠（１７）を前記凹部（１９）へ進入させるためのカマ進入穴（３３）が形成された化粧板（７）と、
を具備し、
前記カマ係合金具（５）の掛合部（２９）が、前記化粧板（７）を貫通し、該化粧板（７）表面より常時突出し、前記引戸（９）が閉鎖位置にある時に、カマ係合金具（５）の掛合部（２９）が引戸（９）の縦框（１１）内にある錠本体（１５）に進入されると共に、前記化粧板（７）に形成されたカマ進入穴（３３）の上半部から前記カマ係合金具（５）の掛合部（２９）が突出し、カマ進入穴（３３）の下半部の対向する化粧板（７）の縁部には前記凹部（１９）内の方向に折曲部（３５）が形成されていると共に該折曲部（３５）と凹部（１９）内壁とで前記カマ係合金具（５）の脚部（２７）が挟まれていることを特徴とする引戸用ストライク板。
【請求項２】
前記凹部の対向する一対の側壁にそれぞれ貫通させた金具固定部材を前記一対の脚部に挿着させることで前記トロヨケと前記カマ係合金具とを一体に固定したことを特徴とする請求項１記載の引戸用ストライク板。
【請求項３】
前記一対の化粧板固定部材の一方が他方より長いことを特徴とする請求項１または２記載の引戸用ストライク板。
【発明の詳細な説明】
【０００１】
【発明の属する技術分野】
本発明は、引戸の設けられた開口部の縦枠に取り付けられ、引戸の縦框から突出されるカマ錠に係合される引戸用ストライク板に関し、特に、カマ錠との係合強度、経年劣化時のメンテナンス性を高める改良技術に関する。
【０００２】
【従来の技術】
例えば、引戸の施錠には、引戸に設けられた錠本体からカマ錠を突出させ、このカマ錠を引戸の縦框が当接する縦枠に設けた引戸用ストライク板に係合させることで、引戸を開放不能に施錠する施錠構造がある。
従来、この種の施錠構造に用いられる引戸用ストライク板は、一般的に縦枠に凹設される凹部を有したトロヨケと、このトロヨケを覆い、カマ錠の進入・係合するカマ進入穴の形成された化粧板とから構成される。そして、引戸が閉められ、引戸の縦框が、開口枠の縦枠に当接すると、引戸に設けられた錠本体からカマ錠が突出され、カマ錠は引戸用ストライク板のカマ進入穴に進入し、先端がカマ進入穴の裏面縁部に係合することで、引戸用ストライク板にロックされ、引戸を開放不能に施錠する。なお、カマ錠の係合される化粧板は、引戸の開放時、縦枠の戸当たり面で表出するため、表面が鏡面又はヘアーライン等により化粧仕上げされる。
【０００３】
【発明が解決しようとする課題】
しかしながら、従来の引戸用ストライク板は、トロヨケと化粧板とからなり、カマ錠が化粧板に形成されたカマ進入穴の裏面縁部に係合する構造となっているので、化粧板に対し、カマ錠との係合強度と、デザイン性の両方が要求され、両機能を充分に満足させることが困難であった。
すなわち、化粧板は、頻繁な係合・係合解除に対し耐磨耗性が高くかつ高強度であることが要求される一方で、デザイン性を重視した鏡面仕上げとすること等が要求される。そして、単なる板状の化粧板に形成されたカマ進入穴に、カマ錠を係合させる構造では、充分な係合強度を得ることができないとともに、化粧板に直接、カマ錠を係合させるので、経年劣化によって、化粧板に歪み、擦れ等が生じ、意匠性が損なわれ易い問題があった。
【０００４】
また、頻繁な係合・係合解除によって係合部分が磨耗すれば、外観に未だ問題の無い化粧板全体を交換しなければならず、不経済なメンテナンスが強いられることになった。さらに、板状の化粧板にカマ錠を係合させる構造では、カマ錠と化粧板との係合部分が視認され易く、高い防犯性能を確保し難い問題があった。
【０００５】
本発明は上記状況に鑑みてなされたもので、カマ錠との係合強度、経年劣化時のメンテナンス性、及び防犯性を高めることのできる引戸用ストライク板を提供することを目的とする。
【０００６】
【課題を解決するための手段】
次に、上記の課題を解決するための手段を、実施の形態に対応する図面を参照して説明する。
この発明の請求項１記載の引戸用ストライク板１は、引戸９の縦框１１が対向して当接する縦枠１３に取り付けられる引戸用ストライク板１であって、
前記縦枠１３に凹設される箱状の凹部１９を有したトロヨケ３と、
該トロヨケ３の前記凹部１９に一対の脚部２７，２７が収容されて固定され、該一対の脚部２７，２７における前記引戸９の縦框１１に対向する部分に略Ｕ字状に屈曲して架橋された掛合部２９が前記凹部１９から突出されるカマ係合金具５と、
挿通された一対の化粧板固定部材３９を前記トロヨケ３及び前記縦枠１３に挿着させることで前記縦枠１３に略面一に固定されて前記カマ係合金具５の前記凹部１９からの脱落を阻止するとともに、前記カマ係合金具５の掛合部２９を貫通させかつ前記引戸９の縦框１１から突出されるカマ錠１７を前記凹部１９へ進入させるためのカマ進入穴３３が形成された化粧板７と、を具備し、前記カマ係合金具５の掛合部２９が、前記化粧板７を貫通し、該化粧板７表面より常時突出し、前記引戸９が閉鎖位置にある時に、カマ係合金具５の掛合部２９が引戸９の縦框１１内にある錠本体１５に進入されることを特徴とする。
【０００７】
この引戸用ストライク板１では、トロヨケ３と、カマ係合金具５と、化粧板７とが別体で形成され、カマ係合金具５がトロヨケ３の凹部１９に収容され、化粧板７がトロヨケ３と共に固定されることで縦枠１３に取り付けられる。
従って、それぞれの部材が、その部材の用途に適した最適な材料、或いは仕上げで製作可能になる。例えば、カマ係合金具５の場合、カマ錠１７との頻繁な係合・係合解除に対し耐磨耗性が高く、かつ高強度の材料で製作することができ、化粧板７の場合、デザイン性を重視した鏡面仕上げとすることができ、また、トロヨケ３の場合、耐磨耗性やデザイン性を重視する必要なく一般的な安価な材料を用いて製作することができる。
そして、カマ錠１７との係合部分が、略Ｕ字状に屈曲されて剛性が高まり、単にカマ進入穴３３の縁部に係合させる場合に比べてカマ錠１７との係合強度が高められる。また、化粧板７を取り外すことで、カマ係合金具５が脱着可能となり、カマ錠１７との係合によって経年劣化したカマ係合金具５の容易な交換が可能になる。
【０００８】
請求項２記載の引戸用ストライク板１は、前記凹部１９の対向する一対の側壁にそれぞれ貫通させた金具固定部材２５を前記一対の脚部２７，２７に挿着させることで前記トロヨケ３と前記カマ係合金具５とを一体に固定したことを特徴とする。
【０００９】
この引戸用ストライク板１では、トロヨケ３の凹部１９に、カマ係合金具５の脚部２７，２７が収容され、この脚部２７，２７が、凹部１９の対向する一対の側壁にそれぞれ貫通された金具固定部材、例えば金具固定ネジ２５に螺合される。つまり、トロヨケ３とカマ係合金具５とが、金具固定ネジ２５によって一体に固定される。カマ係合金具５は、化粧板７がトロヨケ３に固定されることによっても、凹部１９からの脱落が阻止されるが、このように金具固定ネジ２５を介して凹部１９に固定されることで、固定力がより高まり、凹部１９からの脱落が二重に阻止されることになる。また、脚部２７，２７と凹部１９とが直接的に固定されることで、凹部内におけるカマ係合金具５のガタツキが確実に防止可能になる。
【００１０】
請求項３記載の引戸用ストライク板１は、前記一対の化粧板固定部材３９の一方が他方より長いことを特徴とする。
【００１１】
この引戸用ストライク板１では、一対の化粧板固定部材、例えば化粧板固定ネジ３９の一方３９ａが他方３９ｂより長く形成され、一対の化粧板固定ネジ３９が同時に緩められ、他方の化粧板固定ネジ３９ｂが外された状態においても、一方の化粧板固定ネジ３９ａが螺合状態を維持し続けることになり、トロヨケ３と化粧板７とが、連結されたままで離反可能になる。この離反状態によって、凹部１９からのカマ係合金具５の脱着が可能になる。従って、例えばカマ係合金具５の組立時、あるいは交換時等に、トロヨケ３と化粧板７とがバラバラに分離しなくなり、これらの部材が紛失され難くなる。
【００１２】
さらに請求項１記載の引戸用ストライク板１は、前記化粧板７に形成されたカマ進入穴３３の上半部から前記カマ係合金具５の掛合部２９が突出し、カマ進入穴３３の下半部の対向する縁部には前記凹部１９内の方向に折曲部３５が形成されていると共に該折曲部３５と凹部１９内壁とで前記カマ係合金具５の脚部２７が挟まれていることを特徴とする。  これにより、ストライク板の組立が容易になり、カマ係合金具５の組立状態が強固となり安定する。
【００１３】
請求項１乃至３記載の引戸用ストライク板１では、カマ係合金具の掛合部が、化粧板から突出しているので、カマ係合金具の掛合部を錠本体側に進入させることができ、カマ係合金具とカマ錠との係合部分を錠本体内で隠蔽することができる。これにより、防犯性も高めることができる。
【００１４】
【発明の実施の形態】
以下、本発明に係る引戸用ストライク板の好適な実施の形態を図面を参照して詳細に説明する。
図１は本発明に係る引戸用ストライク板の外観斜視図、図２は本発明に係る引戸用ストライク板の分解斜視図、図３は図１の引戸用ストライク板が用いられた引戸錠の施錠前の状態を表す断面図、図４は図１の引戸用ストライク板が用いられた引戸錠の施錠後の状態を表す断面図である。
【００１５】
本実施の形態による引戸用ストライク板１は、図１に示すように、トロヨケ３と、カマ係合金具５と、化粧板７とから構成される。
引戸用ストライク板１は、引戸９（図３参照）の縦框１１が対向して当接する縦枠１３に取り付けられ、引戸９に内蔵された錠本体１５から突出するカマ錠１７にカマ係合金具５が係合される。
【００１６】
図２に示すように、トロヨケ３は、一側面の開口した箱状の凹部１９を有している。凹部１９の上下の開口縁部には鍔部２１が延出形成され、鍔部２１にはネジ穴２３が形成されている。トロヨケ３は、凹部１９が縦枠１３に凹設され、鍔部２１が縦枠１３の戸当たり面に平行になるように取り付けられる。また、凹部１９の対向する一対の側壁１９ａ，１９ｂにはネジ挿通穴２４が穿設され、このネジ挿通穴２４にはカマ係合金具５を固定するための金具固定部材としての金具固定ネジ２５が挿通される。なお、このトロヨケ３は、例えば厚さ１．６ｍｍ程度の鋼材（ＳＰＣＣ）を用いて製作される。
【００１７】
カマ係合金具５は、長板を平行に対面させた一対の脚部２７，２７を有している。脚部２７，２７は、長手方向の寸法が、凹部１９の上下方向の内寸と略同一長に形成される。
また、脚部２７，２７は、下端部が凹部１９の幅方向の内寸と略同等に形成される一方、上端部がそれより狭い幅で形成されている。脚部２７，２７の板幅は、凹部１９の深さ方向の内寸と略同等に形成される。
【００１８】
脚部２７，２７の上端部には略Ｕ字状に屈曲された掛合部２９が架橋される。つまり、一対の脚部２７，２７は、この掛合部２９によって一体に連結されている。従って、カマ係合金具５は、脚部２７，２７が凹部１９に収容された状態で、掛合部２９のみが凹部１９から突出するようになっている。
【００１９】
それぞれの脚部２７，２７の下端部にはネジ穴３１が形成されている。このネジ穴３１には凹部１９のネジ挿通穴２４に挿通された金具固定ネジ２５が挿着螺合される。従って、トロヨケ３とカマ係合金具５とは、この金具固定ネジ２５によって一体固定されるようになっている。なお、このカマ係合金具５は、例えば厚さ２．０ｍｍ程度の鋼材（ＳＵＳ４３０）を用いて製作される。
【００２０】
化粧板７には、カマ係合金具５の掛合部２９を貫通させかつ引戸９の縦框１１から突出されるカマ錠１７を凹部１９へ進入させるためのカマ進入穴３３が形成されている。
カマ進入穴３３は、略上半部が、カマ係合金具５の掛合部２９の幅と略同一に形成され、略下半部が、カマ錠１７の厚みと略同一に形成されている。つまり、カマ錠１７は、このカマ進入穴３３の下半部から先端が凹部１９内に進入した後、掛合部２９の背面に係合するようになっている。
【００２１】
カマ進入穴３３の下半部の対向する一対の縁部には、凹部１９内の方向に向けて折り曲げられた折曲部３５，３５がそれぞれ形成されている。この折曲部３５，３５は、凹部１９に収容された脚部２７，２７間に突出され、凹部１９の内壁とで脚部２７，２７をそれぞれ挟むように配置される。
【００２２】
化粧板７には上下一対の取付穴３７，３７が穿設されている。化粧板７は、この取付穴３７，３７に挿通された化粧板固定部材としての化粧板固定ネジ３９をトロヨケ３及び縦枠１３に挿着し螺合させることで、縦枠１３に略面一に固定される。カマ係合金具５は、上記の金具固定ネジ２５とで、トロヨケ３の凹部１９からの脱落が二重に阻止されている。
【００２３】
化粧板７を取り付ける一対の化粧板固定ネジ３９は、上方となる一方３９ａが下方の他方３９ｂより長く形成されている。また、一方の化粧板固定ネジ３９ａは、化粧板７に挿通され、トロヨケ３の鍔部２１に螺合されて裏面に突出した先端が、かしめられてもよい。このように、化粧板固定ネジ３９の一方３９ａが他方３９ｂより長く形成されることで、一対の化粧板固定ネジ３９が同時に緩められ、他方の化粧板固定ネジ３９ｂが外れた状態においても、一方の化粧板固定ネジ３９ｂが螺合状態のままとなり、トロヨケ３と化粧板７とが、連結されたままで離反可能になる。この離反状態によって、凹部１９からのカマ係合金具５の脱着が可能になる。これにより、例えばカマ係合金具５の組立時あるいは交換時等に、トロヨケ３と化粧板７とがバラバラに分離しなくなり、これらの部材の紛失が防止されることになる。
【００２４】
上記のように各部材が構成された引戸用ストライク板１は、先ず、トロヨケ３の凹部１９に、カマ係合金具５の脚部２７，２７が収容され、側壁１９ａ，１９ｂのネジ挿通穴２４に挿通された金具固定ネジ２５が脚部２７，２７のネジ穴３１に螺合されることで、トロヨケ３とカマ係合金具５とが一体に固定される。次いで、カマ係合金具５の掛合部２９がカマ進入穴３３に貫通され、化粧板７が化粧板固定ネジ３９によってトロヨケ３及び縦枠１３に螺合されて、引戸用ストライク板１が縦枠１３に取り付けられる。
【００２５】
引戸用ストライク板１は、図３に示すように、縦枠１３に取り付けられた状態で、カマ係合金具５の掛合部２９が化粧板７から突出されている。そして、図４に示すように、引戸９が閉められると、掛合部２９が錠本体１５に設けられたスライダー４１を押圧しながら、錠本体１５内に挿入される。これにより、錠本体１５に設けられた施錠機構によってカマ錠１７が時計回りに回動され、トロヨケ３の凹部１９に進入した後、さらに回転されて掛合部２９の背面に係合されることになる。
【００２６】
この引戸用ストライク板１によれば、トロヨケ３と、カマ係合金具５と、化粧板７とが別体で形成され、カマ係合金具５がトロヨケ３の凹部１９に収容され、化粧板７がトロヨケ３と共に固定されることで縦枠１３に取り付けられるので、それぞれの部材が、その部材の用途に適した最適な材料、あるいは仕上げで製作可能になる。
【００２７】
例えば、カマ係合金具５の場合、カマ錠１７との頻繁な係合・係合解除に対し耐磨耗性が高く、かつ高強度の材料で製作することができ、化粧板７の場合、デザイン性を重視した鏡面仕上げとすることができ、また、トロヨケ３の場合、耐磨耗性やデザイン性を重視する必要なく製作することができる。
【００２８】
そして、カマ錠１７との係合部分が、略Ｕ字状に屈曲され、カマ錠１７からの引っ張り力が両側板１９ａ，１９ｂで受けられるので、剛性が高まり、単にカマ錠１７をカマ進入穴３３の縁部に係合させる場合に比べて、カマ錠１７との係合強度を高めることができる。
【００２９】
また、化粧板７を取り外すことで、カマ係合金具５が脱着可能となり、カマ錠１７との係合によって経年劣化したカマ係合金具５の容易な交換が可能になる。
【００３０】
さらに、本実施の形態では、カマ係合金具５の掛合部２９が、化粧板７を貫通し化粧板７から突出した構成としているので、カマ係合金具５の掛合部２９を錠本体１５に進入させた状態で、カマ錠１７と係合させることができ、カマ係合金具５とカマ錠１７との係合部分が錠本体内で隠蔽され、防犯性を高めることができる。
【００３１】
また、カマ係合金具５は、化粧板７がトロヨケ３に固定されることによっても、凹部１９からの脱落が阻止されるが、上記のように金具固定ネジ２５を介して凹部１９に固定されることで、固定力がより高まり、凹部１９からの脱落が二重に阻止されることになる。また、化粧板７のみによらず、脚部２７，２７と凹部１９とが直接的に固定されることで、凹部内におけるカマ係合金具５のガタツキを確実に防止することができる。
【００３３】
【発明の効果】
以上詳細に説明したように、本発明に係る引戸用ストライク板によれば、トロヨケと、カマ係合金具と、化粧板とを別体で形成し、カマ係合金具をトロヨケの凹部に収容し、化粧板を固定することで縦枠に取り付けるようにしたので、それぞれの部材を、その部材の用途に適した最適な材料、あるいは仕上げで製作することができるようになる。すなわち、カマ係合金具は、頻繁な係合・係合解除に対し耐磨耗性が高くかつ高強度の材料で製作することができ、カマ錠との係合強度を高めることが可能となり、化粧板は、デザイン性を重視した鏡面仕上げとすることができ、また、トロヨケは、耐磨耗性やデザイン性を重視する必要なく製作することができる。
【００３４】
また、化粧板を取り外すことで、カマ係合金具が脱着できるので、経年劣化したカマ係合金具の新規なものへの交換を可能にすることができ、メンテナンス性を高めることができる。
【００３５】
さらに、カマ係合金具の掛合部が、化粧板から突出する構成とすることで、カマ係合金具の掛合部を錠本体に進入させることができ、カマ係合金具とカマ錠との係合部分を錠本体内で隠蔽することができる。これにより、防犯性も高めることができる。
【図面の簡単な説明】
【図１】本発明に係る引戸用ストライク板の外観斜視図である。
【図２】本発明に係る引戸用ストライク板の分解斜視図である。
【図３】図１の引戸用ストライク板が用いられた引戸錠の施錠前の状態を表す断面図である。
【図４】図１の引戸用ストライク板が用いられた引戸錠の施錠後の状態を表す断面図である。
【符号の説明】
１…引戸用ストライク板
３…トロヨケ
５…カマ係合金具
７…化粧板
９…引戸
１１…縦框
１３…縦枠
１７…カマ錠
１９…凹部
１９ａ，１９ｂ…側壁
２５…金具固定部材（金具固定ネジ）
２７…脚部
２９…掛合部
３３…カマ進入穴
３９…化粧板固定部材（化粧板固定ネジ）
【図１】
0004094235.tif 000002
【図２】
0004094235.tif 000003
【図３】
0004094235.tif 000004
【図４】
0004094235.tif 000005